(57)【特許請求の範囲】
【請求項１】
複数の階床に渡って運行するエレベータを管理する群管理制御装置に前記エレベータの利用者の行先階を登録する行先階登録装置であって、
前記利用者による行先階の入力操作を受け付ける操作部と、
前記利用者を示す利用者情報を取得する情報取得部と、
前記操作部を制御する制御部とを備え、
前記制御部は、
前記エレベータが利用される階床に入居しているテナントの営業時間に応じて指定される特定の時間帯である営業時間帯内には、前記利用者が前記複数の階床のうちの一の階床に関連付けられた関連情報を入力可能になるように、前記操作部を制御し、
前記営業時間帯外では、前記情報取得部によって取得される利用者情報に基づいて前記利用者の行先階を登録するように、前記操作部を制御する
行先階登録装置。
【請求項２】
前記営業時間帯外に、前記情報取得部によって前記利用者情報が取得されたとき、
前記制御部は、前記利用者情報に応じた行先階の選択操作を受け付けるように、前記操作部を制御する
請求項１に記載の行先階登録装置。
【請求項３】
前記複数の階床のうちの一の階床と前記関連情報とを関連付けて記録する記憶部をさらに備え、
前記制御部は、前記営業時間帯内に、前記利用者によって前記関連情報が前記操作部で入力されたときに、入力された関連情報に関連付けられた一の階床を前記行先階として登録するように、前記操作部を制御する
請求項１又は２に記載の行先階登録装置。
【請求項４】
前記関連情報は、関連付けられた階床におけるテナントに関する情報を含む
請求項１〜３のいずれか１項に記載の行先階登録装置。
【請求項５】
前記利用者に所定の情報を報知する報知部をさらに備え、
前記制御部は、前記営業時間帯の期間中、前記所定の情報として前記操作部で前記関連情報を入力可能であることを前記報知部に報知させる
請求項１〜４のいずれか１項に記載の行先階登録装置。
【請求項６】
前記群管理制御装置と情報通信を行う通信部をさらに備え、
前記制御部は、前記通信部が前記群管理制御装置から前記利用者の行先階が割り当てられたエレベータを示す割当号機情報を受信したとき、前記割当号機情報を前記報知部に報知させる
請求項５に記載の行先階登録装置。
【請求項７】
前記報知部は、画像を表示する表示部で構成される
請求項５又は６に記載の行先階登録装置。
【請求項８】
前記操作部は、前記表示部によって表示される画像に対するタッチ操作を受け付けるタッチパネルで構成される
請求項７に記載の行先階登録装置。
【請求項９】
前記制御部は、前記営業時間帯外には、前記営業時間帯の期間中に報知させた前記所定の情報の代わりに、前記利用者に前記情報取得部の使用を促す情報を前記報知部に報知させる
請求項５に記載の行先階登録装置。
【請求項１０】
前記操作部は、互いに隣接してテンキーを構成する数字ボタン及び削除ボタンを含み、
前記数字ボタンは、前記行先階に対応する数字を入力する操作を受け付け、
前記削除ボタンは、入力された数字を取り消す操作を受け付ける
請求項１〜９のいずれか１項に記載の行先階登録装置。
【請求項１１】
請求項１〜１０のいずれか１項に記載の行先階登録装置と、
複数の階床に渡って運行するエレベータを管理する群管理制御装置とを備える
エレベータの群管理システム。
【発明の詳細な説明】
【技術分野】
【０００１】
本発明は、エレベータの行先階を登録する行先階登録装置、及びエレベータの群管理システムに関する。
【背景技術】
【０００２】
特許文献１は、キーワードの入力により、キーワードと関連付けられたテナントが存在する階床の登録を行うための階床登録装置を開示している。特許文献１の階床登録装置は、キーワード毎に店舗の存在する階床を含む店舗情報が記憶された店舗情報ＤＢ（データベース）と、表示部と、利用者によりキーワードが入力されたときに店舗情報ＤＢから店舗情報を読み出して、店舗情報を表示部に表示させる制御部とを備える。また、制御部は、読み出された店舗が存在する階床に基づいて、エレベータの呼びを登録可能なように構成されている。
【先行技術文献】
【特許文献】
【０００３】
【特許文献１】特開２００４−２７７０１９号公報
【発明の概要】
【発明が解決しようとする課題】
【０００４】
特許文献１の階床登録装置によると、例えばビルを初めて訪れ、利用したい店舗名や階床等の情報がわからない利用者が、キーワードの入力によりこれらの情報を知得してエレベータの登録を行うことができるようになり、このような利用者のエレベータ利用時の利便性が向上する。
【０００５】
しかし、オフィスビルなどにおけるエレベータの利用者には、例えば通勤者など、行先階を把握していて検索する必要がない利用者もいる。
【０００６】
本発明は、行先階登録装置を用いて利用者の行先階を登録するエレベータの群管理システムにおいて、種々の利用者にとって利用しやすい行先階登録装置及びエレベータの群管理システムを提供することを目的とする。
【課題を解決するための手段】
【０００７】
本発明の一態様において、複数の階床に渡って運行するエレベータを管理する群管理制御装置にエレベータの利用者の行先階を登録する行先階登録装置が提供される。行先階登録装置は、操作部と、情報取得部と、制御部とを備える。操作部は、利用者による行先階の入力操作を受け付ける。情報取得部は、利用者を示す利用者情報を取得する。制御部は、操作部を制御する。制御部は、特定の時間帯内には、利用者が複数の階床のうちの一の階床に関連付けられた関連情報を入力可能になるように、操作部を制御する。制御部は、特定の時間帯外では、情報取得部によって取得される利用者情報に基づいて利用者の行先階を登録するように、操作部を制御する。
【０００８】
また、本発明の一態様において、行先階登録装置と、複数の階床に渡って運行するエレベータを管理する群管理制御装置とを備えるエレベータの群管理システムが提供される。
【発明の効果】
【０００９】
本発明に係る行先階登録装置及びエレベータの群管理システムによると、行先階を把握していない利用者は、特定の時間帯内に、関連情報の入力によって行先階登録装置を利用できる。利用者情報に応じた利用者は、特定の時間帯外に、情報取得部を用いて行先階を登録できる。これにより、種々の利用者にとって行先階登録装置やエレベータを利用しやすくすることができる。
【図面の簡単な説明】
【００１０】
【図１】実施形態１に係るエレベータシステムの配置を示す概略図
【図２】エレベータの群管理システムにおける行先階登録装置を説明するための図
【図３】エレベータの群管理システムの構成を示すブロック図
【図４】本システムにおける号機制御装置の構成を示すブロック図
【図５】本システムにおける行先階登録装置の構成を示すブロック図
【図６】本システムにおける各種データベースを説明するための図
【図７】行先階登録装置による行先階登録処理を示すフローチャート
【図８】図７の行先階登録処理に続く残りの行先階登録処理を示すフローチャート
【図９】図７の行先階登録処理における表示部の表示例を示す図
【図１０】図８の行先階登録処理における表示部の第１の表示例を示す図
【図１１】図８の行先階登録処理における表示部の第２の表示例を示す図
【図１２】群管理制御装置によるエレベータの割当処理を示すフローチャート
【発明を実施するための形態】
【００１１】
本発明の実施形態に係る行先階登録装置、エレベータの群管理システム、及びエレベータシステムについて、図面を参照して説明する。なお、以下の各実施形態において、同様の構成要素については同一の符号を付している。
【００１２】
（実施形態１）
１−１．エレベータシステムの概要
本実施形態に係るエレベータシステムの概要について説明する。図１は、実施形態１に係るエレベータシステムの配置を示す概略図である。
【００１３】
本実施形態に係るエレベータシステムは、図１に示すように、複数のエレベータ１Ａ〜１Ｆと、行先階登録装置２Ａ，２Ｂとを備える。エレベータの群管理システムは、エレベータ（Ａ号機〜Ｆ号機。以下適宜「号機」という）１Ａ〜１Ｆの走行および運行を統合的に制御する。本実施形態では、一例としてＡ号機からＦ号機の６台のエレベータ１Ａ〜１Ｆが設けられている。各エレベータ１Ａ〜１Ｆの乗降口がエレベータホールに設けられており、利用者はエレベータホールからエレベータ１Ａ〜１Ｆに乗降する。
【００１４】
本実施形態に係るエレベータの群管理システムは、行先階登録方式を採用する。行先階登録方式は、利用者がエレベータ１Ａ〜１Ｆの乗車する前に、利用者の目的の階床である行先階があらかじめ登録される方式である。本実施形態では、行先階登録装置２Ａ，２Ｂが、エレベータホールの入口の近傍に設置されているものとする。以下、行先階登録装置２Ａ，２Ｂを総称して「行先階登録装置２」という場合がある。
【００１５】
図２は、本システムにおける行先階登録装置を説明するための図である。図２（ａ）は、行先階登録装置２の外観を示す。行先階登録装置２は、カードリーダ２１と、表示部２２と、タッチパネル２３と、インジケータ２４と、音声出力部２５とを備える。利用者は、行先階登録装置２において、カードリーダ２１を利用して個人認証をしたり、表示部２２の表示に基づきタッチパネル２３にタッチしたりして、行先階を入力する操作を行う。
【００１６】
図２（ｂ）は、表示部２２の表示例を示す。図２（ｂ）に示すように、表示部２２は、例えば「行先階にタッチしてください」というメッセージやテンキーを示すアイコン（以下、「テンキーアイコン」という。）を表示する。利用者は、タッチパネル２３にタッチすることで、所望の行先階を入力する操作を行うことができる。本システムでは、行先階登録装置２において入力された行先階が、複数台のエレベータ１Ａ〜１Ｆの内のいずれかのエレベータに割り当てられる（以下、利用者の行先階が割り当てられたエレベータを「割当号機」という。）。
【００１７】
また、表示部２２は、図２（ｂ）に示すように、テナント名検索ボタンを表示する。テナント名検索ボタンは、利用者がタッチパネル２３を利用したいテナント名の検索を開始するためのボタンである。なお、「テナント」は、ビル等に入居している店舗、会社、事務所を含むものとする。本実施形態では、例えばオフィスビルに訪れた一般来客など、自身の行先のテナントが入居している階床を把握していない者がエレベータの利用者に含まれることを想定している。テナント名検索ボタンの操作により、利用者がテナント名を検索すると、行先階登録装置２では、テナントが入居している階床が行先階として登録される（図１１参照）。これにより、一般来客などの利用者にとって、行先階登録装置２を利用し易くすることができる。
【００１８】
また、本実施形態では、利用者に、一般来客だけでなくオフィスビルへの通勤者も含まれることを想定している。本システムは、種々の利用者にとって行先階登録装置２を利用し易くするために、時間帯に応じて行先階登録装置２の操作機能を切り替える。以下、本システムの構成について説明する。
【００１９】
１−２．エレベータの群管理システムの構成
本実施形態に係るエレベータの群管理システムの構成について、図１〜３を参照して説明する。図３は、実施形態１に係るエレベータの群管理システムの構成を示すブロック図である。
【００２０】
図３に示すように、本実施形態に係るエレベータの群管理システムは、エレベータ１Ａ〜１Ｆ毎に設けられた号機制御装置５Ａ〜５Ｆと、複数の行先階登録装置２Ａ，２Ｂと、群管理制御装置４とを備える。
【００２１】
各エレベータ（各号機）１Ａ〜１Ｆは、かご、巻上機（モータ）、釣合おもり、制御部等を有する。
【００２２】
１−３．群管理制御装置の構成
群管理制御装置４は、行先階登録装置２によって登録される行先階を、複数のエレベータ１Ａ〜１Ｆのうちのいずれかのエレベータに割り当てる制御を行う。群管理制御装置４は、図３に示すように、記憶部４０と、群管理制御部４１と、入出力インタフェース４２とを備える。群管理制御装置４は、複数の階床に渡って運行するエレベータ１Ａ〜１Ｆを管理する群管理制御装置の一例である。
【００２３】
記憶部４０は、群管理制御装置４の機能を実現するために必要なプログラム及びデータを記憶する記憶媒体である。プログラムは、本実施形態の各種機能を実現するためのプログラムを含む。例えば、記憶部４０は、行先階登録装置２Ａ，２Ｂの設置場所から各エレベータ１Ａ〜１Ｆまでの距離や移動時間（例えば閑散時と混雑時とのそれぞれにおける移動時間）、各エレベータ１Ａ〜１Ｆの仕様などのデータを格納している。記憶部４０は、例えばハードディスク（ＨＤＤ）や半導体記憶装置（ＳＳＤ）で構成される。
【００２４】
群管理制御部４１は、群管理制御装置４の動作全体を制御する。群管理制御部４１は、記憶部４０から読み出した上記プログラムに基づいて種々のデータ等を利用して演算処理を行うことにより、群管理制御装置４における後述する各種の機能を実現する。群管理制御部４１は、例えばＣＰＵ、ＭＰＵで構成される。群管理制御部４１は、専用に設計された電子回路や再構成可能な電子回路などのハードウェア回路（ＡＳＩＣ，ＦＰＧＡ等）で構成されてもよい。群管理制御部４１の機能は、ハードウェアとソフトウェアとの協働で実現されてもよいし、ハードウェア（電子回路）のみで実現されてもよい。
【００２５】
入出力インタフェース４２は、行先階登録装置２Ａ，２Ｂ及び号機制御装置５Ａ〜５Ｆとの間で各種信号を送受信するためのインタフェース回路である。入出力インタフェース４２は、群管理制御部４１から出力される信号を所定の形式の信号に変換して出力する。また、入出力インタフェース４２は、行先階登録装置２Ａ，２Ｂ及び号機制御装置５Ａ〜５Ｆから入力された信号を所定の形式の信号に変換して群管理制御部４１に出力する。入出力インタフェース４２は、各種装置と有線接続を介して通信してもよいし、無線接続を介して通信してもよい。
【００２６】
１−４．号機制御装置の構成
号機制御装置５Ａ〜５Ｆの構成について、図３，４を参照して説明する。以下では、号機制御装置５Ａ〜５Ｆを総称して「号機制御装置５」という場合がある。図４は、本システムにおける号機制御装置５の構成を示すブロック図である。
【００２７】
号機制御装置５Ａ〜５Ｆは、図３に示すように、群管理制御装置４からの制御信号にしたがって、対応するエレベータ１Ａ〜１Ｆをそれぞれ駆動する制御装置である。各エレベータ１Ａ〜１Ｆに対する号機制御装置５Ａ〜５Ｆは、群管理制御装置４からの制御信号に基づいて、巻上機（モータ）の動作等を制御することにより、かごの上昇、下降、停止等を制御する。また、号機制御装置５Ａ〜５Ｆはそれぞれ、対応するエレベータ１Ａ〜１Ｆのかごの位置、走行方向、ドアの開閉状態、荷重等を含むかご状態を検知して、検知したかご状態を示す情報を含むかご状態信号を群管理制御装置４に出力する。
【００２８】
号機制御装置５は、図４に示すように、制御部５０と、記憶部５１と、入出力インタフェース５２とを備える。
【００２９】
制御部５０は、号機制御装置５の動作全体を制御する。制御部５０は、記憶部５１から読み出した上記プログラムに基づいて種々のデータ等を利用して演算処理を行うことにより、号機制御装置５における後述する各種の機能を実現する。制御部５０は、例えばＣＰＵ、ＭＰＵで構成される。制御部５０は、専用に設計された電子回路や再構成可能な電子回路などのハードウェア回路（ＡＳＩＣ，ＦＰＧＡ等）で構成されてもよい。制御部５０の機能は、ハードウェアとソフトウェアとの協働で実現されてもよいし、ハードウェア（電子回路）のみで実現されてもよい。
【００３０】
記憶部５１は、行先階登録装置２の機能を実現するために必要なプログラム及びデータを記憶する記憶媒体である。プログラムは、本実施形態の各種機能を実現するためのプログラムを含む。記憶部５１は、例えばフラッシュメモリで構成される。
【００３１】
入出力インタフェース５２は、群管理制御装置４やエレベータとの間で各種信号を送受信するためのインタフェース回路である。入出力インタフェース５２は、制御部５０から出力される信号を所定の形式の信号に変換して出力する。また、入出力インタフェース５２は、号機制御装置５Ａ〜５Ｆ毎に対応するエレベータ１Ａ〜１Ｆや、群管理制御装置４から入力された信号を所定の形式の信号に変換して制御部５０に出力する。入出力インタフェース５２は、群管理制御装置４と有線接続を介して通信してもよいし、無線接続を介して通信してもよい。
【００３２】
１−５．行先階登録装置の構成
行先階登録装置２の構成について、図２及び図５を参照して説明する。図５は、本システムにおける行先階登録装置２の構成を示すブロック図である。
【００３３】
行先階登録装置２は、行先階登録方式において利用者の行先階を群管理制御装置４に登録するための装置である。行先階登録装置２は、図５に示すように、制御部２０と、カードリーダ２１と、表示部２２と、タッチパネル２３と、インジケータ２４と、音声出力部２５と、記憶部２６と、入出力インタフェース２７とを備える。
【００３４】
制御部２０は、行先階登録装置２の動作全体を制御する。制御部２０は、記憶部２６から読み出した上記プログラムに基づいて種々のデータ等を利用して演算処理を行うことにより、行先階登録装置２における後述する各種の機能を実現する。制御部２０は、例えばＣＰＵ、ＭＰＵで構成される。制御部２０は、専用に設計された電子回路や再構成可能な電子回路などのハードウェア回路（ＡＳＩＣ，ＦＰＧＡ等）で構成されてもよい。制御部２０の機能は、ハードウェアとソフトウェアとの協働で実現されてもよいし、ハードウェア（電子回路）のみで実現されてもよい。
【００３５】
カードリーダ２１は、例えば接触型ＩＣカードリーダで構成される。本実施形態では、ＩＣカードに、特定の利用者を示す利用者情報が記録されていることを想定している。利用者情報は、例えば利用者の識別番号である利用者ＩＤを含む。カードリーダ２１は、ＩＣカードの接触を検知して、検知したＩＣカードに記録された利用者情報を読み取る。カードリーダ２１は、利用者情報の記録媒体の一例であるＩＣカードから、利用者情報を取得する情報取得部の一例である。カードリーダ２１は、密着型や近接型などの非接触型ＩＣカードリーダで構成されてもよい。
【００３６】
表示部２２は、例えば液晶ディスプレイや有機ＥＬディスプレイで構成される。表示部２２は、制御部２０が生成する画像信号に基づいて、種々の画像を表示する。例えば、表示部２２は、図２（ｂ）に示すようにテンキーアイコンやテナント名検索ボタンなどを含む画像を表示する。
【００３７】
タッチパネル２３は、表示部２２の表示面に重畳して設けられたタッチセンサである。タッチパネル２３は、表示部２２によって表示された画像に対するタッチ操作を受け付け、所定の信号を制御部２０に出力する。表示部２２とタッチパネル２３とは、タッチパネル式表示デバイスを構成する。タッチパネル式表示デバイスにおいて、表示部２２とタッチパネル２３とは一体的に形成されてもよいし、別体で形成されてもよい。
【００３８】
インジケータ２４は、例えば液晶ディスプレイや有機ＥＬディスプレイで構成される。インジケータ２４は、タッチパネル２３の操作結果（入力された階床数など）を示す情報を表示する。
【００３９】
図２（ｂ）において、表示部２２が表示するテンキーアイコンは、「０」〜「９」の数字に対応する複数の数字ボタンと、「確定」と表記された確定ボタンと、「削除」と表記された削除ボタンとを有する。本実施形態では、利用者がテンキーアイコンにおける数字ボタンをタッチすることにより、タッチした数字ボタンに対応する数字がインジケータ２４に表示される。確定ボタン及び削除ボタンは、それぞれ「０」の数字ボタンの両隣に配置されている。確定ボタンのタッチ操作により、インジケータ２４に表示された数の階床を行先階として確定する機能が実現される。また、削除ボタンのタッチ操作により、インジケータ２４に表示された数字を取り消す機能が実現される。以上のような各種の操作機能が実現されるように、制御部２０は表示部２２，タッチパネル２３，インジケータ２４を制御する。なお、インジケータ２４と表示部２２は、一体的に形成されてもよい。
【００４０】
図５に戻り、音声出力部２５は、制御部２０からの制御信号に基づいて、所定の情報を有する音声を出力する。音声出力部２５は、例えば音声合成装置で構成される。なお、音声出力部２５は、音声アナウンスに限らず、メロディ音やブザー音などを出力してもよい。本実施形態において、利用者に所定の情報（例えばテナント検索機能が有効であること）を報知する報知部は、表示部２２と音声出力部２５とを含む。
【００４１】
記憶部２６は、行先階登録装置２の機能を実現するために必要なプログラム及びデータを記録する記憶媒体である。プログラムは、本実施形態の各種機能を実現するためのプログラムを含む。例えば、記憶部２６は、当該記憶部２６を含む行先階登録装置２の識別情報を示す行先階登録装置ＩＤや、テナント情報データベースＤ１、利用者情報データベースＤ２（後述）を記録している。記憶部２６は、例えばフラッシュメモリで構成される。
【００４２】
入出力インタフェース２７は、群管理制御装置４との間で各種信号を送受信するためのインタフェース回路である。入出力インタフェース２７は、制御部２０から出力される信号を所定の形式の信号に変換して出力する。また、入出力インタフェース２７は、群管理制御装置４から入力された信号を所定の形式の信号に変換して制御部２０に出力する。入出力インタフェース２７は、群管理制御装置４と有線接続を介して通信してもよいし、無線接続を介して通信してもよい。入出力インタフェース２７は、群管理制御装置４に各種情報を送受信する通信部の一例である。
【００４３】
１−６．データベースについて
図６を参照して、本システムにおいて用いられる各種データベースについて説明する。図６は、本システムにおける各種データベースを説明するための図である。各種データベースは、例えば記憶部２６に格納される。
【００４４】
図６（ａ）は、テナント情報データベースＤ１の一例を示す。テナント情報データベースＤ１は、エレベータ１Ａ〜１Ｆが運行可能な各階床に関連するテナントを示すテナント情報を管理するデータベースである。
【００４５】
テナント情報データベースＤ１は、図６（ａ）に示すように、「テナント名」と、「頭文字」と、「階床」とを関連付けて管理する。「テナント名」は、エレベータ１Ａ〜１Ｆが運行可能な複数の階床の内の特定の階床に入居しているテナントの名称である。「頭文字」は、テナント名の最初の一文字を示し、例えばひらがな５０音の内の一文字で記録される関連情報の一例である。「階床」は、テナントが入居している階床を示す。図６（ａ）の例では、頭文字「ふ」に関連付けられた複数のテナント名「ふくふく証券」、「フジテック株式会社」、「淵万商事」が、それぞれ階床「１２階」、「１３階」、「５階」に関連付けられている。テナント情報データベースＤ１は、行先階登録装置２の利用者がテナント名を検索する場合に参照される。
【００４６】
なお、テナント情報データベースＤ１においてテナント名及び階床と関連付けられる関連情報は、テナント名の頭文字に限らず、テナント名の中の複数文字や一又は複数単語であってもよいし、テナントに関連する種々のキーワードであってもよい。また、関連情報はひらがなで記録されなくてよく、例えばカタカナで記録されてもよいし、アルファベットや他の文字で記録されてもよい。
【００４７】
図６（ｂ）は、利用者情報データベースＤ２を示す。利用者情報データベースＤ２は、カードリーダ２１を利用する利用者に関する利用者情報を管理するデータベースである。利用者情報データベースＤ２は、図６（ｂ）に示すように、「利用者ＩＤ」と、行先階の優先順位情報（「行先階の第１候補」、「行先階の第２候補」、…）とを関連付けて管理する。「利用者ＩＤ」の項目には、（特定時間帯外に）行先階登録装置２を利用可能な利用者の利用者ＩＤが記録されている。また、優先順位情報は、複数の行先階の候補間に優先順位を設定する情報である。本実施形態では、優先順位情報は、利用者ＩＤが示す利用者毎に３階床の範囲内で設定される。本実施形態では、エレベータの利用者の内で、例えば通勤者などの一部の利用者がＩＣカードを所持していることを想定している。利用者情報データベースＤ２は、カードリーダ２１を利用する利用者に対する個人認証、及び行先階の登録操作のために用いられる。
【００４８】
２．動作
２−１．動作の概要
本実施形態に係る行先階登録装置２及びエレベータの群管理システムの動作の概要について説明する。本システムでは、例えばオフィスビルに訪れた一般利用者などにとって利用し易くするために、行先階登録装置２は、テナントの検索に基づき行先階を登録可能に構成されている。しかし、例えば通勤でエレベータを利用する利用者が多い時間帯などに、行先階登録装置２でテナントの検索が行われると、行先階の登録に時間がかかって、通勤者等が待たされることとなる。また、高い輸送効率が特に求められる通勤時間帯に、十分な輸送効率が得られなくなるという問題がある。
【００４９】
そこで、本実施形態では、あらかじめ指定された特定時間帯のみ、テナントの検索に基づく行先階の登録機能を有効にする。特定時間帯は、例えば一般来客の利用が見込める時間帯（例えば１１時〜１５時）や、テナントの営業時間帯（例えば１０時〜２０時）などである。また、特定時間帯外では、カードリーダ２１の使用に基づき行先階を登録可能にする。これにより、ＩＣカードを所持する通勤者にとってエレベータを利用し易くすると共に、ＩＣカードを所持しない者によるエレベータの利用を制限することができる。以下、本システムにおける行先階登録装置２及び群管理制御装置４の動作について説明する。
【００５０】
２−２．行先階登録装置の動作
図７〜１１を参照して、行先階登録装置２の動作について説明する。図７は、行先階登録装置による行先階登録処理を示すフローチャートである。図８は、図７の行先階登録処理に続く残りの行先階登録処理を示すフローチャートである。図９は、図７の行先階登録処理における表示部の表示例を示す図である。図１０は、図８の行先階登録処理における表示部の第１の表示例を示す図である。図１１は、図８の行先階登録処理における表示部の第２の表示例を示す図である。
【００５１】
行先階登録処理は、行先階登録装置２において、利用者による行先階の登録操作を受け付けるとともに、行先階が割り当てられたエレベータを利用者に報知する処理である。行先階登録処理は、行先階登録装置２の制御部２０によって実行される。
【００５２】
まず、制御部２０は、現在時刻が所定の特定時間帯内か否かを判断する（Ｓ１）。特定時間帯は、例えば１１時〜１５時などとして、あらかじめ記憶部２６に設定されている。以下、現在時刻が指定間帯外の場合と、特定時間帯内の場合とのそれぞれに実行される処理について説明する。
【００５３】
（１）特定時間帯外の場合
制御部２０は、現在時刻が特定時間帯内ではないと判断した場合（Ｓ１でＮＯ）、カードリーダ２１（図２参照）がＩＣカードから利用者情報を取得したか否かを検知する（Ｓ２）。カードリーダ２１は、ＩＣカードの接触を検出したときに、ＩＣカードから利用者情報を取得する。図９（ａ）は、特定時間帯外の初期状態（ステップＳ２）における表示部２２の表示例を示す。
【００５４】
ステップＳ２において、表示部２２は、図９（ａ）に示すように、「ＩＣカードをカードリーダにかざしてください」というメッセージや、カードリーダ２１の設置位置に向いた矢印マークなどの画像を表示する。利用者がＩＣカードをカードリーダ２１にかざしたとき、カードリーダ２１は、利用者のＩＣカードから利用者情報を取得する。制御部２０は、カードリーダ２１による利用者情報の取得を検知していない場合（Ｓ２でＮＯ）、ステップＳ１の処理を繰り返す。なお、制御部２０は、所定期間（例えば１分）中にカードリーダ２１による利用者情報の取得が検知されなかった場合、ステップＳ１以降の処理を再度、行ってもよい。
【００５５】
制御部２０は、カードリーダ２１によって利用者情報が取得されたことを検知すると（Ｓ２でＹＥＳ）、取得された利用者情報が示す利用者ＩＤが、利用者情報データベースＤ２に記録されているか否かを判断する（Ｓ３）。
【００５６】
制御部２０は、利用者ＩＤが利用者情報データベースＤ２に記録されていないと判断した場合（Ｓ３でＮＯ）、本処理を終了する。
【００５７】
一方、制御部２０は、利用者ＩＤが利用者情報データベースＤ２に記録されていると判断した場合（Ｓ３でＹＥＳ）、利用者情報データベースＤ２において利用者ＩＤに関連付けられた優先順位情報に基づいて利用者の行先階の候補を示す画像を生成し、生成した画像を表示部２２に表示させる（Ｓ４）。図９（ｂ）は、ステップＳ４における表示部２２の表示例を示す。
【００５８】
図９（ｂ）の表示例において、表示部２２は、「行先階にタッチしてください」という、利用者に行先階を登録することを促すメッセージとともに、複数のボタン状の階数ボタンを示す画像（以下、「階床ボタン」という。）を表示している。利用者は、階床ボタンをタッチすることにより、階床ボタンに対応する階床を行先階として登録できる。
【００５９】
複数の階床ボタンの配置は、図９（ｂ）に示すように、所定の方向ｄ１において順番に並べられる。階床ボタンが方向ｄ１において並ぶ順番は、利用者情報における優先順位情報が示す優先順位の順番である。図９（ｂ）の例では、上ほど優先順位が高く、優先順位情報が示す優先順位が１番、２番及び３番の階床はそれぞれ１３階、１階及び９階である。優先順位が１番から３番までの階床ボタンは、優先順位順に並ぶとともに、これら以外の階床ボタンよりも大きいサイズで強調されるように表示されている。このため、利用者は優先順位が高い階床ボタンを視認し易く、自身の優先順位に応じた行先階の登録操作を行い易い。
【００６０】
また、本実施形態では、図９（ｂ）に示すように、利用者情報データベースＤ２において優先順位が設定されていない階床の階床ボタンも表示されている。なお、優先順位が設定されていない全階床の階床ボタンの表示は、省略されてもよい。また、行先階登録装置２の設置階に対応する階床ボタンの表示は、省略されてもよい。
【００６１】
図７に戻り、制御部２０は、タッチパネル２３の出力信号に基づいて、利用者の階床ボタンに対するタッチ操作がなされたか否かを判断する（Ｓ５）。
【００６２】
制御部２０は、階床ボタンに対するタッチ操作がなされたことを判断すると（Ｓ５でＹＥＳ）、登録された行先階を示す行先階情報と、行先階登録装置ＩＤとを群管理制御装置４に送信する（Ｓ６）。制御部２０は、階床ボタンに対するタッチ操作がなされていない場合（Ｓ５でＮＯ）、ステップＳ５の処理を繰り返す。なお、制御部２０は、所定期間（例えば１０秒）中に階床ボタンに対するタッチ操作がなされなかった場合、ステップＳ１以降の処理を再度、行ってもよい。
【００６３】
群管理制御装置４は、行先階情報及び行先階登録装置ＩＤを受信すると、これに応答して、行先階情報が示す行先階を割り当てた割当号機を示す割当号機情報を行先階登録装置２に送信する。群管理制御装置４の動作の詳細については後述する。
【００６４】
次に、行先階登録装置２の制御部２０は、入出力インタフェース２７（図５参照）を介して群管理制御装置４から割当号機情報を受信したか否かを判断する（Ｓ７）。
【００６５】
制御部２０は、群管理制御装置４から割当号機情報を受信していない場合（Ｓ７でＮＯ）、ステップＳ７の判断を繰り返し行う。群管理制御装置４から割当号機情報を受信すると（Ｓ７でＹＥＳ）、制御部２０は、受信した割当号機情報が示す割当号機を利用者に案内するための案内画像を生成して、表示部２２に表示させる（Ｓ８）。図９（ｃ）は、ステップＳ８における表示部２２の表示例を示す。図９（ｃ）の表示例で、表示部２２は「Ｄ号機の前でお待ちください」と表示している。これは、利用者の行先階に対して、Ｄ号機（エレベータ１Ｄ（図１参照））が割り当てられたことを示す。この案内画像に基づき、利用者は、自身の行先階が割り当てられた割当号機を認識することができる。
【００６６】
制御部２０は、例えば、表示部２２に所定時間（例えば３秒）、図９（ｃ）に示す案内画像を表示させ、その後に案内画像を消去させ、本処理を終了する。
【００６７】
（２）特定時間帯内の場合
以下、現在時刻が特定時間帯内の場合に実行される処理について説明する。
【００６８】
この場合、まず、制御部２０は、現在時刻が特定時間帯内であると判断し（Ｓ１でＹＥＳ）、図２（ｂ）に示すように、テナント名検索ボタン及びテンキーアイコンを表示部２２に表示させる（Ｓ１０）。
【００６９】
次に、制御部２０は、タッチパネル２３の出力信号に基づいて、テナント名検索ボタンに対するタッチ操作が行われたか否かを判断する（Ｓ１１）。
【００７０】
制御部２０は、テナント名検索ボタンに対するタッチ操作が行われていないと判断したとき（Ｓ１１でＮＯ）、タッチパネル２３の出力信号に基づいて、テンキーアイコンに対するタッチ操作が行われたか否かを判断する（Ｓ１２）。
【００７１】
制御部２０は、テンキーアイコンに対するタッチ操作が行われていないと判断したとき（Ｓ１２でＮＯ）、本フローチャートの処理を終了する。
【００７２】
以下、テンキーアイコンがタッチ操作されたときと、テナント名検索ボタンがタッチ操作されたときとのそれぞれにおいて、制御部２０により実行される処理について説明する。
【００７３】
（２−１）テンキーアイコンがタッチ操作されたとき（Ｓ１２でＹＥＳ）の処理
まず、テンキーアイコンがタッチ操作されたとき（Ｓ１２でＹＥＳ）の制御部２０による処理について説明する。図１０（ａ）〜（ｃ）は、テンキーアイコンがタッチ操作されたときの一連の表示例を示す。図１０（ａ）は、ステップＳ１２における表示部２２の表示例を示し、図１０（ｂ）は、ステップＳ１２におけるインジケータ２４の表示例を示す。
【００７４】
図１０（ａ）に示すように、テンキーアイコンにおける「８」のボタンがタッチ操作されると（図１０（ａ）の例では、タッチされたことを破線の枠線で示している。）、図１０（ｂ）に示すように、インジケータ２４に「８」が表示される。このとき、テンキーアイコンにおける確定ボタンのタッチ操作がなされると、「８階」が行先階として確定する。
【００７５】
図８に戻り、制御部２０は、テンキーアイコンに対するタッチ操作がなされたと判断した場合（Ｓ１２でＹＥＳ）、テンキーアイコンで入力された行先階を示す行先階情報と行先階登録装置ＩＤとを群管理制御装置４に送信する（Ｓ１３）。図１０（ａ），（ｂ）の例では、確定された行先階「８階」を示す行先階情報が、ステップＳ１３において群管理制御装置４に送信される。
【００７６】
群管理制御装置４は、行先階情報及び行先階登録装置ＩＤを受信すると、ステップＳ６の場合と同様に、割当号機情報を行先階登録装置２に送信する。
【００７７】
次に、行先階登録装置２の制御部２０は、入出力インタフェース２７（図５参照）を介して群管理制御装置４から割当号機情報を受信したか否かを判断する（Ｓ１４）。
【００７８】
制御部２０は、群管理制御装置４から割当号機情報を受信していない場合（Ｓ１４でＮＯ）、ステップＳ１４の判断を繰り返し行う。群管理制御装置４から割当号機情報を受信すると（Ｓ１４でＹＥＳ）、制御部２０は、受信した割当号機情報が示す割当号機を利用者に案内するための案内画像を生成して、表示部２２に表示させる（Ｓ１５）。図１０（ｂ）は、ステップＳ１５における表示部２２の表示例を示す。
【００７９】
図１０（ｃ）の表示例で、表示部２２は「Ｄ号機の前でお待ちください」と表示している。これにより、利用者は、利用者の行先階に対して、Ｄ号機（エレベータ１Ｄ（図１参照））が割り当てられたことを認識することができる。
【００８０】
制御部２０は、例えば、表示部２２に所定時間（例えば３秒）、図１０（ｃ）に示す案内画像を表示させ、その後に案内画像を消去させ、本処理を終了する。
【００８１】
（２−２）テナント名検索ボタンがタッチ操作されたとき（Ｓ１１でＹＥＳ）の処理
以下、テナント名検索ボタンがタッチ操作されたとき（Ｓ１１でＹＥＳ）の制御部２０による処理について説明する。図１１（ａ）〜（ｄ）は、テナント名検索ボタンがタッチ操作されたときの一連の表示例を示す。図１１（ａ）の例では、テナント名検索ボタンがタッチされたことを破線の枠線で示している。
【００８２】
制御部２０は、テナント名検索ボタンに対するタッチ操作が行われたと判断したとき（Ｓ１１でＹＥＳ）、テナント名の入力画面を表示部２２に表示させる（Ｓ１６）。図１１（ｂ）は、ステップＳ１６における表示部２２の表示例を示す。図１１（ｂ）の表示例で、表示部２２は、「テナント名を入力してください」というメッセージとともに、ひらがなの５０文字の内の一文字をそれぞれ表すかな文字キーを表示している。利用者は、１つのかな文字キーにタッチすることで、タッチしたかな文字キーが表す１文字をテナント名の頭文字として入力することができる。
【００８３】
制御部２０は、タッチパネル２３の出力信号に基づいて、テナント名の頭文字の入力操作が行われたか否かを判断する（Ｓ１７）。制御部２０は、テナント名の頭文字の入力操作が行われていない場合（Ｓ１７でＮＯ）、ステップＳ１７の処理を繰り返す。なお、制御部２０は、所定期間（例えば１０秒）中にタッチパネル２３でテナント名の頭文字の入力操作が行われなかった場合、本フローチャートの処理を終了してもよい。
【００８４】
制御部２０は、テナント名の頭文字の入力操作が行われたことを判断すると（Ｓ１７でＹＥＳ）、入力されたテナント名の頭文字に基づいて、利用者の行先の候補のテナント名を表示部２２に表示させる（Ｓ１８）。図１１（ｃ）は、ステップＳ１８における表示部２２の表示例を示す。図１１（ｃ）の表示例で、表示部２２は、「テナント名を選択してください」というメッセージとともに、複数のテナント名「ふくふく証券」、「フジテック株式会社」、「淵万商事」を表示している。図１１（ｃ）の表示例は、ステップＳ１７において、テナント名の頭文字として「ふ」が入力された場合の表示例である。この場合、制御部２０は、記憶部２６に格納されたテナント情報データベースＤ１（図６（ａ）参照）において、頭文字「ふ」に関連付けられたテナント名を検索し、検索結果が図１１（ｃ）に示すように表示される。利用者は、表示された複数のテナント名のうちの１つのテナント名にタッチすることで、行先のテナントを選択することができる。
【００８５】
次に、制御部２０は、タッチパネル２３の出力信号に基づいて、テナントの選択操作が行われたか否かを判断する（Ｓ１９）。制御部２０は、テナントの選択操作が行われていない場合（Ｓ１９でＮＯ）、ステップＳ１９の処理を繰り返す。なお、制御部２０は、所定期間（例えば１０秒）中にタッチパネル２３でテナントの選択操作が行われなかった場合、ステップＳ１７以降の処理を再度、行ってもよい。
【００８６】
制御部２０は、テナントの選択操作が行われたことを判断すると（Ｓ１９でＹＥＳ）、テナント情報データベースＤ１において選択されたテナントが関連付けられた階床を行先階として示す行先階情報、及び行先階登録装置ＩＤを群管理制御装置４に送信する（Ｓ２０）。
【００８７】
群管理制御装置４は、行先階情報及び行先階登録装置ＩＤを受信すると、ステップＳ６，Ｓ１３の場合と同様に、割当号機情報を行先階登録装置２に送信する。
【００８８】
次に、行先階登録装置２の制御部２０は、入出力インタフェース２７（図５参照）を介して群管理制御装置４から割当号機情報を受信したか否かを判断する（Ｓ２１）。
【００８９】
制御部２０は、群管理制御装置４から割当号機情報を受信していない場合（Ｓ２１でＮＯ）、ステップＳ２１の判断を繰り返し行う。群管理制御装置４から割当号機情報を受信すると（Ｓ２１でＹＥＳ）、制御部２０は、行先階及び割当号機を利用者に案内するための案内画像を生成して、表示部２２に表示させる（Ｓ２２）。図１１（ｄ）は、ステップＳ２２における表示部２２の表示例を示す。図１１（ｄ）の表示例で、表示部２２は、「１２階に目的のテナントがあります。」というメッセージとともに、「Ｄ号機の前でお待ちください」と表示している。図１１（ｄ）に示す表示例は、ステップＳ１９において、テナント名「ふくふく証券」が選択された場合の表示例である。この場合、制御部２０は、テナント情報データベースＤ１（図６（ａ））を参照して、テナント名「ふくふく証券」に関連付けられた階床「１２階」を行先階として行先階情報を生成する。利用者は、表示部２２の表示により、自身の行先階が割り当てられた割当号機（本例では「Ｄ号機」）と共に、自身の行先階（本例では「１２階」）を認識することができる。
【００９０】
制御部２０は、例えば、表示部２２に所定時間（例えば３秒）、図１１（ｄ）に示す案内画像を表示させ、その後に案内画像を消去させ、本処理を終了する。
【００９１】
以上の処理によると、特定時間帯内では、テナントの検索に基づき行先階を登録可能であり（Ｓ１６〜Ｓ２２）、一般利用者にとって行先階登録装置２を利用しやすい。
【００９２】
また、テナントの検索機能は特定時間帯内にのみ有効であるため（Ｓ１）、特定時間帯外に、テナントの検索により行先階登録装置２の利用が遅滞し、エレベータの輸送効率が低下することを回避できる。例えば、特定時間帯を通勤時間帯（例えば７時〜９時）外に設定することで、通勤者にとってエレベータを利用し易くできる。
【００９３】
また、特定時間帯外では、ＩＣカードから利用者情報をカードリーダ２１に読み取らせることによって利用者の行先階が登録されるので（Ｓ２〜Ｓ８）、ＩＣカードを所持する利用者にとって行先階登録装置２を利用しやすい。
【００９４】
以上の説明では、ステップＳ４において、利用者情報データベースＤ２に記録された優先順位情報に基づき、複数の行先階の候補が表示されたが、複数の行先階の候補が表示されなくてもよい。例えば、行先階の第１候補の階床のみが表示されてもよい。また、利用者情報の取得後（Ｓ２）、ステップＳ４，Ｓ５の処理を省略して、自動的に行先階の第１候補の階床が行先階として登録されてもよい。これにより、ＩＣカードの所持者にとって、より行先階登録装置２を利用し易くできる。
【００９５】
また、以上の説明では、ステップＳ１７において、テナント名の頭文字が入力操作の判断対象であったが、これに限らず、テナント名の１文字目から２，３文字目までなどの複数文字やテナント名全体、テナントに関連するキーワード等が判断対象であってもよい。これらの場合、あらかじめテナント情報データベースＤ１に、判断対象の情報をテナント名に関連付けて記録しておく。
【００９６】
また、以上の説明では、ステップＳ１７において、５０音のひらがなに対応するかな文字キーの表示例（図１１（ｃ））について説明したが、ひらがなに代えて、又はこれに加えて、カタカナやアルファベットによる入力が行われてもよいし、漢字変換機能が用いられてもよい。
【００９７】
２−３．群管理制御装置の動作
群管理制御装置４の動作について、図１２を参照して説明する。
【００９８】
図１２は、群管理制御装置４によるエレベータの割当処理を示すフローチャートである。エレベータの割当処理は、行先階登録装置２において登録された行先階を、群管理制御装置４において、複数のエレベータ１Ａ〜１Ｆのうちのいずれかのエレベータに割り当てる処理である。図１２に示すエレベータの割当処理は、図７，８に示す行先階登録装置２において行われた行先階登録処理に基づいて、群管理制御装置４の群管理制御部４１によって実行される。図１２に示すフローチャートの処理は、所定周期（例えば３秒）で繰り返し実行される。
【００９９】
まず、群管理制御部４１は、入出力インタフェース４２（図３参照）を介して、図７のステップＳ６又は図８のステップＳ１３，Ｓ２０において行先階登録装置２が送信した行先階情報及び行先階登録装置ＩＤを受信したか否かを判断する（Ｓ３１）。群管理制御部４１は、行先階情報及び行先階登録装置ＩＤを受信していないと判断した場合（Ｓ３１でＮＯ）、本フローチャートの処理を終了する。
【０１００】
群管理制御部４１は、行先階情報及び行先階登録装置ＩＤを受信したと判断した場合（Ｓ３１でＹＥＳ）、複数のエレベータ１Ａ〜１Ｆの中からいずれかのエレベータに、受信した行先階情報が示す行先階を割り当てて、割当号機を決定する（Ｓ３２）。ステップＳ３２の処理は、例えば以下のように行われる。
【０１０１】
まず、群管理制御部４１は、エレベータ１Ａ〜１Ｆにおける各エレベータの運行情報に基づいて、行先階を割り当てるべきエレベータ（割当号機）を選択するための評価値を、エレベータ毎に算出する。ここで、各エレベータの運行情報は、例えば、各エレベータのかご状態（かごの位置、走行方向、ドアの開閉状態、荷重等を含む）、予測される待ち時間（割当号機が出発階に到着するまでの時間）、予測されるサービス完了時間（割当号機が行き先階に到着するまでの時間）、かごの予定される停止回数（サービス完了までの間に予定されるエレベータの停止回数）などを示す情報を含む。上記評価値の算出後、群管理制御部４１は、エレベータ１Ａ〜１Ｆのうちから最も高い評価値を有するエレベータを選択し、行先階を、選択したエレベータに割り当てる。群管理制御部４１は、この他、一般的に知られている従来の方法を用いて行先階をいずれかのエレベータに割り当ててもよい。
【０１０２】
次に、群管理制御部４１は、号機制御装置５Ａ〜５Ｆの中で割当号機を制御する号機制御装置に、行先階呼び情報（出発階情報及び行先階情報）を送信する（Ｓ３３）。出発階情報は、行先階登録装置２の設置階を出発階として示す情報である。ステップＳ３３において行先階呼び情報を受信した号機制御装置は、行先階登録装置２の設置階（出発階）から行先階情報が示す行先階まで走行するように、割当号機を制御する。
【０１０３】
次に、群管理制御部４１は、行先階登録装置ＩＤに基づき行先階情報の送信元の行先階登録装置２に、割当号機を示す割当号機情報を送信し（Ｓ３４）、エレベータの割当処理を終了する。これにより、この行先階登録装置２は、割当号機を示す情報を表示する。
【０１０４】
３．まとめ
以上のように、本実施形態に係る行先階登録装置２は、複数の階床に渡って運行するエレベータを管理する群管理制御装置４にエレベータの利用者の行先階を登録する装置である。行先階登録装置２は、タッチパネル２３と、カードリーダ２１と、制御部２０とを備える。タッチパネル２３は、利用者による行先階の入力操作を受け付ける。カードリーダ２１は、利用者を示す利用者情報を取得する。制御部２０は、タッチパネル２３を制御する。制御部２０は、特定の特定時間帯内には、利用者が複数の階床のうちの一の階床に関連付けられた関連情報を入力可能になるように、タッチパネル２３を制御する。制御部２０は、特定時間帯外では、カードリーダ２１によって取得される利用者情報に基づいて利用者の行先階を登録するように、タッチパネル２３を制御する。
【０１０５】
また、本実施形態に係るエレベータの群管理システムは、行先階登録装置２と、複数の階床に渡って運行するエレベータを管理する群管理制御装置４とを備える。
【０１０６】
これにより、特定時間帯内では、行先階を把握していない利用者であっても関連情報の入力により行先階を登録できる。一方、特定時間帯外では、利用者情報で特定される行先階を登録できる。このため、種々の利用者にとって行先階登録装置２やエレベータを利用しやすくすることができる。
【０１０７】
また、本実施形態では、特定時間帯外に、カードリーダ２１によって利用者情報が取得されたとき、制御部２０は、利用者情報に応じた行先階の選択操作を受け付けるように、タッチパネル２３を制御する。
【０１０８】
これにより、特定時間帯外には、利用者がカードリーダ２１に利用者情報を読み取らせることにより、利用者情報に応じた行先階が選択可能になり、利用者情報で特定される利用者にとってエレベータを利用しやすくすることができる。
【０１０９】
また、本実施形態では、行先階登録装置２は、複数の階床のうちの一の階床と関連情報とを関連付けて記録する記憶部２６をさらに備える。この場合、制御部２０は、特定時間帯内に、利用者によって関連情報がタッチパネル２３で入力されたときに、入力された関連情報に関連付けられた一の階床を行先階として登録するように、タッチパネル２３を制御する。
【０１１０】
これにより、特定時間帯内に利用者が関連情報を入力することで、記憶部２６に記録された関連情報と関連する階床が行先階として登録されるため、自身の行先階を把握していない利用者にとって、行先階登録装置２を利用しやすくすることができる。
【０１１１】
また、本実施形態では、関連情報は、関連付けられた階床におけるテナントに関する情報を含む。
【０１１２】
これにより、テナントに関する情報を入力することで、行先階の登録が可能となり、自身の行先のテナントを把握している利用者にとって、行先階登録装置２を利用しやすくすることができる。
【０１１３】
また、本実施形態では、行先階登録装置２は、利用者に所定の情報を報知する報知部をさらに備える。報知部は、画像を表示する表示部で構成される。この場合、制御部２０は、特定時間帯の期間中、所定の情報としてタッチパネル２３で関連情報を入力可能であることを示すテナント名検索ボタンを、表示部２２に表示させる。
【０１１４】
これにより、特定時間帯の期間中、利用者は、タッチパネル２３で関連情報を入力可能であることを認識でき、関連情報の入力を要望する利用者にとって行先階登録装置２を利用しやすくすることができる。なお、報知部は表示部２２に限らず、例えば音声出力部２５であってもよい。例えば、音声出力部２５は、特定時間帯の期間中、関連情報を入力可能であることを示す音声アナウンス等を定期的に行ってもよい。
【０１１５】
また、本実施形態では、行先階登録装置２は、群管理制御装置４と情報通信を行う入出力インタフェース２７をさらに備える。この場合、制御部２０は、入出力インタフェース２７が群管理制御装置４から利用者の行先階が割り当てられたエレベータを示す割当号機情報を受信したとき、割当号機情報を報知部に報知させる。
【０１１６】
これにより、利用者は、行先階登録装置２からの割当号機情報の報知によって乗車すべき割当号機を確認でき、行先階登録装置２で行先階を登録した利用者の利便性を向上できる。
【０１１７】
また、本実施形態では、利用者による行先階の入力操作を受け付ける操作部は、表示部によって表示される画像に対するタッチ操作を受け付けるタッチパネルで構成される。
【０１１８】
これにより、利用者はタッチ操作で行先階の入力操作を行え、利用者にとって行先階登録装置２を利用しやすくできる。
【０１１９】
（その他の実施形態）
上記実施形態１では、情報取得部の一例のカードリーダ２１について説明したが、情報取得部は、カードリーダ２１に限らず、例えばＮＦＣ（近距離通信）リーダであってもよい。また、利用者情報の記録媒体もＩＣカードに限らず、例えば、ＮＦＣ通信に対応するスマートフォンなどのモバイル端末であってもよい。また、情報取得部は、顔認証や指紋認証などの生体認証により利用者情報を取得してもよく、例えば情報取得部は、顔認証を行うためのカメラであってもよい。
【０１２０】
また、上記実施形態１では、階床情報を利用者に報知する報知部は、表示部２２と音声出力部２５とを含んで構成されたが、報知部は、表示部２２と音声出力部２５のうちの一方のみで構成されてもよい。
【０１２１】
また、上記実施形態１では、利用者の操作を受け付ける操作部は、タッチパネル２３で構成されたが、操作部は、他の操作部材で構成されてもよい。例えば、操作部は、キーパッドやキーボードを含んで構成されてもよい。
【０１２２】
また、上記実施形態１では、テナント情報データベースＤ１，利用者情報データベースＤ２は行先階登録装置２の記憶部２６に記録されていたが、これに限らず、例えば群管理制御装置４の記憶部４０や外部サーバに記録されてもよい。この場合、行先階登録装置２は入出力インタフェース２７を介して、適宜、群管理制御装置４の記憶部４０や外部サーバと情報通信を行い、テナント情報データベースＤ１，利用者情報データベースＤ２において必要な情報を取得する。
【０１２３】
また、上記実施形態１では、群管理制御装置４は６台のエレベータ１Ａ〜１Ｆの運行を制御したが、６台のエレベータ１Ａ〜１Ｆに限らず、任意の複数台のエレベータの運行を制御してもよいし、１台のエレベータの運行を制御してもよい。
【符号の説明】
【０１２４】
１Ａ〜１Ｆ  エレベータ
２  行先階登録装置
２０  制御部
２１  カードリーダ
２２  表示部
２３  タッチパネル
２４  インジケータ
２５  音声出力部
２６  記憶部
２７  入出力インタフェース
４  群管理制御装置
【図１】
0006508034.tif 000002
【図２】
0006508034.tif 000003
【図３】
0006508034.tif 000004
【図４】
0006508034.tif 000005
【図５】
0006508034.tif 000006
【図６】
0006508034.tif 000007
【図７】
0006508034.tif 000008
【図８】
0006508034.tif 000009
【図９】
0006508034.tif 000010
【図１０】
0006508034.tif 000011
【図１１】
0006508034.tif 000012
【図１２】
0006508034.tif 000013